(57)【要約】【課題】異なる機能を複合化させた電子機器において、消費電力の低減と、ユーザの使用感の向上との両立が図れる電子機器を提供する。【解決手段】携帯端末装置は、第１の機能モードか第２の機能モードかを判断するＣＰＵ１１と、機能モードに対応して表示制御部２７により表示制御が行なわれる第一の表示部３４と、テレビ放送を受信するチューナ１２と、テレビの表示が不可能かを検出するテレビ受信状態検知部１４とを備え、第１の機能モードは、テレビ放送を受信するテレビ放送受信モードであり、第１の機能モードに対応した表示制御モードである第１の表示制御モードによって第一の表示部３４の表示制御が行われており、テレビ受信状態検知部１４で検出された検出結果がテレビの表示が可能である場合、第一の表示部３４を所定の照度に維持し、テレビの表示が不可能である場合、表示制御部２７は、第一の表示部３４を所定の照度より下げる、または、消灯する。【選択図】図１
2008148297.tif 000002
【特許請求の範囲】
【請求項１】
第１の機能モードおよび第２の機能モードが実行可能な電子機器において、
上記第１の機能モードおよび上記第２の機能モードの何れが実行されているかを判断する機能モード判断手段と、
上記機能モード判断手段の判断結果に対応した表示制御モードによって、表示部の表示制御を行う表示制御手段と、
テレビ放送を受信するテレビ放送受信手段と、
テレビ電波の受信状態によりテレビの表示が可能か不可能かを検出するテレビ受信状態検出手段と、を備え、
上記第１の機能モードは、上記テレビ放送受信手段によってテレビ放送を受信するテレビ放送受信モードであり、
上記表示制御手段は、上記表示部の照度を制御する照度制御手段を含み、
上記照度制御手段は、上記第１の機能モードに対応した表示制御モードである第１の表示制御モードによって上記表示部の表示制御が行われているときであって、上記テレビ受信状態検出手段により検出された検出結果がテレビの表示が可能である場合には上記表示部を所定の照度に維持し、テレビの表示が不可能である場合には、該検出結果に応じて上記表示部を所定の照度より下げる、または、消灯することを特徴とする電子機器。
【請求項２】
電子機器の状態変化を検出する状態変化検出手段を備え、
上記照度制御手段は、上記第２の機能モードに対応した表示制御モードである第２の表示制御モードによって上記表示部の表示制御が行われているときであって、上記状態変化検出手段にて所定時間、状態変化を検出しなかった場合は、前記表示部を所定の照度より減光または消灯することを特徴とする請求項１に記載の電子機器。
【発明の詳細な説明】
【技術分野】
【０００１】
本発明は、異なる機能を複合化した電子機器に関し、特に、携帯電話およびＰＤＡ（Personal Digital Assistants)等の携帯端末機能と、ビデオ録画／再生機能と、ストリーミング再生機能と、ＴＶ放送受信機能とを複合化した電子機器に関するものである。
【背景技術】
【０００２】
現在、全国で視聴されているアナログ地上放送に代わる新しい地上デジタル放送の準備が進んでいる。この地上デジタル放送は、２００３年に関東、近畿、東海の３大都市圏で開始され、２００６年には全国へ拡大される計画である。これにともない、現行のアナログ地上放送も２０１１年には廃止される予定になっている。
【０００３】
この地上デジタル放送の技術規格ＩＳＤＢ (Integrated Services Digital Broadcasting) −Ｔでは、変調方式に多数の搬送波(キャリア)を使用するＯＦＤＭ(Orthogonal Frequency Division Multiplexing、直交周波数分割多重)が採用されている。このＯＦＤＭ変調方式を使用すれば、ビルによる反射など複数の伝播経路(マルチパス)によるゴースト妨害の抑制が可能となる。
【０００４】
また、ＩＳＤＢ−Ｔでは、キャリア間隔を規定する伝送モードやキャリア毎の変調方式、有効シンボル長毎に設ける時間軸方向のガードインターバルがそれぞれ複数規定されており、極めて多数の信号形式が規格の上では許容されている。実際には、これらの中から、固定受信や移動受信などのサービスに応じて最適な形式が選択されることになる。
【０００５】
また、ＩＳＤＢ−Ｔでは１つのチャンネル(帯域幅約５．６ＭＨｚ）を１３セグメント(１セグメント＝約４３０ｋＨｚ)に分割し、これを単位に変調方式を変えることになる。これによって、１つのチャンネルで音声放送とハイビジョン放送、標準固定放送と移動体放送といったように、放送局は任意に信号構成を決定することができる。
【０００６】
さらに、ＩＳＤＢ−Ｔは、時間軸方向のインターリーブを取り入れており、利用する電波も移動体への伝送に適していることから、車載テレビなどの移動受信機やＰＤＡや携帯電話などの携帯端末でも安定した受信が可能となることが大きな特徴の一つとして挙げられる。今後、このような移動受信を想定したサービスも大いに期待されている。
【０００７】
以上のことから、地上デジタル放送が受信できる機能を、携帯移動端末である例えば携帯電話に複合化した電子機器が種々提案されている。
【０００８】
ところで、携帯電話およびＰＤＡ等の携帯移動端末にＴＶ機能を複合化させた場合、それぞれの機能に応じた表示制御が必要となる。具体的には、現在の携帯電話およびＰＤＡでは、操作しながら画面を見る必要があり、操作をしていない場合は使用していないと判断され、画面の照明を消灯している。一方、ＴＶの視聴形態としては、特にＴＶを操作することなく、画面を見つづけるのが一般的である。
【０００９】
特に、携帯移動端末の場合、多くは表示装置に液晶表示パネルを使用している。この液晶表示パネルには、通常、照明装置としてバックライトが設けられており、このバックライトにおける消費電力が非常に大きいので、上述のように、操作しない場合には、表示部のバックライトを減光するかあるいは消灯する等の措置が講じられ、消費電力を抑えるようにしている。これらの技術については、特許文献１ないし特許文献４に開示されている。
【特許文献１】特開２００３−６９７０１（２００３年３月７日公開）
【特許文献２】特開２００３−７８６１３（２００３年３月１４日公開）
【特許文献３】特開２００３−１７４５０３（２００３年６月２０日公開）
【特許文献４】特開２００３−１７４５０４（２００３年６月２０日公開）
【発明の開示】
【発明が解決しようとする課題】
【００１０】
このように、一般的な携帯電話およびＰＤＡ等の携帯移動端末においては、バックライト等の画面照明は一定時間放置された場合、ユーザが使用していないと判断し、自動的に減光、その後、消灯するように、表示装置の制御が行なわれている。
【００１１】
また、一般に、ＴＶ放送を視聴中は、ユーザによるなんらかの操作がなくとも、表示画面の明るさは一定に保たれるように、表示装置の制御が行なわれている。
【００１２】
従って、携帯電話およびＰＤＡ等の携帯移動端末に、ＴＶ機能を複合化させた場合において、携帯電話を実行している場合に、ＴＶと同様の表示装置の制御をした場合、ユーザが使用（なんらかの操作）をしていないにも関わらず、画面の明るさを保持するため、不必要に電池の消耗を招く結果となる。
【００１３】
一方、ＴＶ機能を実行している場合に、携帯電話およびＰＤＡと同様の表示装置の制御をした場合、一定時間放置されたら自動的に減光、消灯してしまうため、ＴＶ視聴中に、表示画面の明るさを維持させるために特別な操作をしなくてはならず、利便性に欠ける。
【００１４】
また、近年の携帯電話およびＰＤＡは、大量のメモリーを備え、また、ＭＰＥＧ４等の画像圧縮技術により、家庭用ＶＴＲに迫る時間のビデオ画像の再生が可能となっている。さらに、通信ネットワークの高速化により、ストリーミングビデオ再生も可能となっている。このような、携帯電話およびＰＤＡによるビデオ画像再生の長時間化により、ビデオ画像再生時においても上記ＴＶにおける表示装置の制御を行う場合と同様の課題がある。
【００１５】
さらに、携帯電話およびＰＤＡの場合、通常、充電池を用いて動作用電源を供給するので、特に電力の消耗の激しい画面照明については、要、不要を明確に切り分けて制御する必要がある。
【００１６】
また、デジタルＴＶの場合、受信できる電波状況によって、放送が表示できるか、まったく表示できないかのどちらかであり、まったく表示できないときに画面の明るさを保持するのは、不必要に電池の消耗を招く結果となる。
【００１７】
以上のことから、複数の機能を複合化させた電子機器において、消費電力の低減とユーザの使用感の向上の両立を図ることが求められている。
【００１８】
本発明の目的は、上記の各課題に鑑みなされたものであって、その目的は、異なる機能を複合化させた電子機器において、消費電力の低減と、ユーザの使用感の向上との両立が図れる電子機器を提供することにある。
【課題を解決するための手段】
【００１９】
本発明に係る電子機器は、上記課題を解決するために、第１の機能モードおよび第２の機能モードが実行可能な電子機器において、上記第１の機能モードおよび上記第２の機能モードの何れが実行されているかを判断する機能モード判断手段と、上記機能モード判断手段の判断結果に対応した表示制御モードによって、表示部の表示制御を行う表示制御手段と、テレビ放送を受信するテレビ放送受信手段と、テレビ電波の受信状態によりテレビの表示が可能か不可能かを検出するテレビ受信状態検出手段と、を備え、上記第１の機能モードは、上記テレビ放送受信手段によってテレビ放送を受信するテレビ放送受信モードであり、上記表示制御手段は、上記表示部の照度を制御する照度制御手段を含み、上記照度制御手段は、上記第１の機能モードに対応した表示制御モードである第１の表示制御モードによって上記表示部の表示制御が行われているときであって、上記テレビ受信状態検出手段により検出された検出結果がテレビの表示が可能である場合には上記表示部を所定の照度に維持し、テレビの表示が不可能である場合には、該検出結果に応じて上記表示部を所定の照度より下げる、または、消灯することを特徴としている。
【００２０】
本発明に係る電子機器は、上記課題を解決するために、電子機器の状態変化を検出する状態変化検出手段を備え、上記照度制御手段は、上記第２の機能モードに対応した表示制御モードである第２の表示制御モードによって上記表示部の表示制御が行われているときであって、上記状態変化検出手段にて所定時間、状態変化を検出しなかった場合は、前記表示部を所定の照度より減光または消灯することを特徴としている。
【発明の効果】
【００２１】
以上のように、本発明に係る電子機器は、上記構成により、複数の機能モードを融合した電子機器において、どの機能モードを使用するかにより表示部の制御を変更することができる。これにより、使用する機能モードに適合した表示制御を行うことで、消費電力の削減と、使用性の向上の両立を図ることができるという効果を奏する。
【発明を実施するための最良の形態】
【００２２】
本発明の一実施の形態について説明すれば、以下の通りである。なお、本実施の形態では、電子機器として、ＴＶ機能、通信機能、ビデオ録画／再生機能、ストリーミング再生機能の４つの機能を複合化させた携帯端末装置について説明する。
【００２３】
図１は、本実施の形態に係る携帯端末装置の概略ブロック図である。
【００２４】
上記携帯端末装置は、図１に示すように、主制御手段としてのＣＰＵ１１と、このＣＰＵ１１によって制御されるチューナ（テレビ放送受信手段）１２、ＯＦＤＭ(Orthogonal Frequency Division Multiplexing、直交周波数分割多重)復調部１３、テレビ受信状態検知部（テレビ受信状態検知手段）１４、デコーダ１５、充電池残量検知部（充電池残量検知手段）１６、記憶部１７、ＲＡＭ１８、ＲＯＭ１９、操作部２０、画像処理部（画像データ再生手段）２１、音声処理部２２、カメラ制御部２３、無線通信部２４を備えている。
【００２５】
上記ＣＰＵ１１は、後述する消費電力制御手段、機能モード判断手段、状態変化検出手段を兼ねている。
【００２６】
上記チューナ１２にはＴＶ用アンテナ部２５が接続され、上記充電池残量検知部１６には充電池２６が接続され、上記画像処理部２１には表示制御部２７が接続され、上記音声処理部２２にはスピーカ部２８、イヤホン端子２９、送話マイク３０、マイク端子３１が接続され、上記カメラ制御部２３にはカメラ部３２が接続され、上記無線通信部２４には通信用アンテナ部３３が接続されている。
【００２７】
さらに、上記表示制御部２７には、第１の表示部３４、第２の表示部３５が接続されている。そして、この表示制御部２７は、後述する表示部の表示制御を行なう表示制御手段と、表示部の照度を制御する照度制御手段を兼ねている。
【００２８】
上記チューナ１２は、地上デジタルＴＶ放送を受信するためのチューナであり、ＴＶ用アンテナ部２５から放送信号を受信するようになっている。このチューナ１２は、放送信号を示すデジタル変調信号をＯＦＤＭ復調部１３に出力する一方、受信電力値をテレビ受信状態検知部１４に出力するようになっている。
【００２９】
上記ＯＦＤＭ復調部１３は、上記チューナ１２によって受信された放送信号等のデジタル変調信号を復調する復調回路であり、例えば図２に示すような回路構成となっている。図２は、ＯＦＤＭ復調部１３の概略ブロック図を示す。
【００３０】
ＯＦＤＭ復調部１３は、図２に示すように、直交復調部４１、位相補正部４２、ＦＦＴ部４３、フレーム同期部４４、検波部４５、周波数・時間デインターリーブ部４６、ビットデインターリーブ部４７、ビタビ複合機４８、バイトデインターリーブ部４９、エネルギー拡散部５０、ＴＳ再生部５１、ＲＳ復号部５２を含んでいる。
【００３１】
上記直交復調部４１には、チューナ１２でＩＦ信号に変換された放送信号がデジタル化されて入力されるようになっている。この直交復調部４１に入力された放送信号は、後段の位相補正部４２、ＦＦＴ部４３、フレーム同期部４４を経て検波部４５に入力される。
【００３２】
上記検波部４５からは、ＴＳ(Transport Stream)信号が出力される。このＴＳ信号は、周波数・時間デインターリーブ部４６、ビットデインターリーブ部４７、ビタビ複合機４８、バイトデインターリーブ部４９、エネルギー拡散部５０、ＴＳ再生部５１、ＲＳ(Reed-Solomon)復号部５２を経て、デコーダ１５に出力される。
【００３３】
上記ＯＦＤＭ復調部１３の各構成要素は、一般的なＯＦＤＭ復調部と同様の構成要素からなるものであるので、その詳細については省略する。
【００３４】
上記デコーダ１５は、ＯＦＤＭ復調部１３から送られた復調信号から、映像信号と音声信号とに復元するようになっており、図１に示すように、映像信号を画像処理部２１に出力する一方、音声信号を音声処理部２２に出力するようになっている。
【００３５】
上記画像処理部２１は、入力された映像信号に対して所定の処理を施し、表示制御部２７を介して第１の表示部３４または第２の表示部３５に出力し、映像を表示させる。ここで、表示制御部２７は、入力された映像信号に応じた表示が行えるように第１の表示部３４または第２の表示部３５の表示を制御する。
【００３６】
上記表示制御部２７による表示制御とは、第１の表示部３４及び第２の表示部３５の照度を制御することである。例えば、第１の表示部３４及び第２の表示部３５が液晶表示パネルからなる場合には、バックライトの照度を制御し、第１の表示部３４及び第２の表示部３５が有機ＥＬパネルからなる場合には、該有機ＥＬパネル自体の照度を制御することである。また、他の表示パネルであって、画面の照度を制御できるものであれば、本発明に適用することができる。
【００３７】
この表示制御部２７による表示制御の詳細については、後述する。
【００３８】
一方、上記音声処理部２２では、デコーダ１５からの音声信号をスピーカ部２８あるいはイヤホン端子２９にて再生する。
【００３９】
上記音声処理部２２には、送話マイク３０、マイク端子３１が接続されているが、これらを用いてユーザの音声を入力すれば、該音声処理部２２により音声信号に変換され、無線通信部２４を介して通信用アンテナ部３３から送信される。また、音声処理部２２により変換された音声信号は、記憶部１７に記憶されてもよい。
【００４０】
同様に、デコーダ１５にて復元された映像信号及び音声信号は、上記記憶部１７に記憶されてもよい。
【００４１】
上記記憶部１７は、ＲＡＭやＨＤ（ハードディスク）のような内蔵型の記憶媒体であってもよく、また、ＳＤメモリーカード、スマートメディア（登録商標）のような着脱可能な記憶媒体でもよく、または、これらを複数備えていてもかまわない。
【００４２】
この記憶部１７には、図１に示すカメラ部３２にて撮像された映像も映像信号として記憶される。ここで、カメラ部３２にて撮像された映像は、カメラ制御部２３を介して画像処理部２１に入力される。この画像処理部２１では、カメラ部３２で撮影された映像（静止画または動画）に対して記憶用の映像信号となるように画像処理を施す。
【００４３】
なお、上記画像処理部２１では、カメラ部３２で撮像された映像に対して、第１の表示部３４あるいは第２の表示部３５に表示させる場合には、表示用の映像信号となるように画像処理を施す。
【００４４】
上記構成の携帯端末装置は、上述したように、ＴＶ機能、通信機能、ビデオ録画／再生機能、ストリーミング再生機能を有し、それぞれの機能が実行される際に、ユーザが各種操作を行えるように操作部２０が設けられている。
【００４５】
つまり、ＴＶ機能を実行する場合には、操作部２０を操作して放送チャンネルや音量等の調整を行い、通信機能として電話機能を実行する場合には、操作部２０を操作して電話番号を入力するようにし、通信機能としてメール送受信機能を実行する場合には、操作部２０を操作してメールを作成するようにし、ビデオ録画／再生機能を実行する場合には、操作部２０を操作して録画開始／停止あるいは早送り／巻き戻し等を行うようにし、ストリーミング再生機能を実行する場合には、操作部２０を操作してストリーミング再生の開始／停止等を行うようにすればよい。
【００４６】
携帯端末装置における各機能を実行する際のアプリケーションプログムは、ＲＯＭ１９に記憶されている。なお、ＲＯＭ１９に格納されたアプリケーションプログラムを実行する場合には、一旦ＲＯＭ１９から読み出してＲＡＭ１８に一時記憶させるようになっている。
【００４７】
つまり、上記ＲＡＭ１８は、オペレーションシステム、アプリケーションプログラム等を動作させるための動作エリアを確保するための一時記憶手段である。一方、ＲＯＭ１９は、オペレーションシステム、基本的なアプリケーションプログラム等、基本的なプログラムを記憶する記憶手段である。
【００４８】
図１に示す携帯端末装置では、バッテリーとして充電式の電池である充電池２６が用いられ、この充電池２６の残量を検出するための充電池残量検知部１６が設けられている。この充電池残量検知部１６によって充電池２６の電池残量が検知されることで、ユーザは、携帯端末装置の電池残量を把握することができる。
【００４９】
このときのユーザへの報知方法としては、第１の表示部３４あるいは第２の表示部３５に電池残量を視覚的に分かるように表示させたり、スピーカ部２８を通して電池残量に応じた報知音を再生したりすることが考えられる。
【００５０】
ここで、上記構成の携帯端末装置で実行できる４つの機能（通信機能、ＴＶ機能、ビデオ録画／再生機能、ストリーミング再生機能）について図１及び図２を参照しながら以下に説明する。なお、上記の各機能については、一般的な機能であるので、ここでは簡単に説明する。
【００５１】
（１）通信機能
通信信号（電話信号、メール信号）の受信時には、通信用アンテナ部３３から受信された通信信号（電話信号、メール信号等）が無線通信部２４を介して、画像処理部２１及び音声処理部２２に送られる。画像処理部２１では、通信信号を受信したことを知らせる着信情報を、表示制御部２７を通じて第１の表示部３４及び／または第２の表示部３５に表示させる。一方、音声処理部２２では、通信信号を受信したことを知らせる着信音をスピーカ部２８で再生させる。
【００５２】
一方、通信信号の送信時には、該通信信号が電話信号の場合、音声処理部２２によって、送話マイク３０、マイク端子３１から入力された音声をデジタル化して無線通信部２４へ伝達し、さらに通信用アンテナ部３３を介して通信相手先へ送信する。一方、通信信号がメール信号の場合、画像処理部２１によって、操作部２０から入力されされた文字データをデジタル化して無線通信部２４へ伝達し、さらに通信用アンテナ部３３を介して通信相手先へ送信する。
【００５３】
（２）ＴＶ機能
ＴＶ用アンテナ部２５を介してチューナ１２によって受信された放送信号は、ＯＦＤＭ復調部１３を介してデコーダ１５に送られ、音声信号と映像信号とに復元される。音声信号は音声処理部２２を介してスピーカ部２８またはイヤホン端子２９で再生され、映像信号は画像処理部２１、表示制御部２７を介して第１の表示部３４に表示される。なお、本実施の形態では、テレビ放送信号がデジタル化された地上デジタルＴＶ放送について説明する。
【００５４】
（３）ビデオ録画／再生機能
ビデオ録画時には、ＴＶ用アンテナ部２５、チューナ１２、ＯＦＤＭ復調部１３を介して受信され、もしくは、通信用アンテナ部３３、無線通信部２４を介してインターネット等よりダウンロードされたビデオ（ＴＶ）データが、記憶部１７に記憶される。記憶されるビデオデータのファイル形式としては、例えばＭＰＥＧ２、ＭＰＥＧ４等があるが、他のファイル形式であってもよい。
【００５５】
ビデオ再生時には、ユーザが、操作部２０を介し、記憶部１７に記憶されたビデオデータの再生を指示した場合、ＣＰＵ１１は、指定されたビデオデータを呼び出す。呼び出されたビデオデータは、デコーダ１５により音声信号と映像信号に復元して、音声処理部２２、画像処理部２１にそれぞれ入力され、スピーカ部２８またはイヤホン端子２９で音声が再生され、第１の表示部３４で映像が再生される。
【００５６】
（４）ストリーミング再生機能について説明する。
【００５７】
通信用アンテナ部３３、無線通信部２４を介してインターネット等よりダウンロードされたストリーミングデータ（ビデオデータ）は、ＲＡＭ１８または記憶部１７を介し、デコーダ１５により音声信号と映像信号に復元して、音声処理部２２、画像処理部２１にそれぞれ入力され、スピーカ部２８またはイヤホン端子２９で音声が再生れ、第１の表示部３４で映像が再生される。
【００５８】
このストリーミング再生機能では、ＲＡＭ１８または記憶部１７は、バッファメモリとして使用される。また、ストリーミングデータ（ビデオデータ）のデータ形式としては、ＭＰＥＧ２、ＭＰＥＧ４等が考えられるが、他のデータ形式であってもよい。
【００５９】
上記のように４つの機能を実現できる携帯端末装置としては、例えば、図３及び図４に示すように、カメラ撮影機能及びＴＶ受信機能を備えた携帯電話１０１が考えられる。図３は、携帯電話１０１を正面側（操作側）から見た図を示し、図４は、図３に示した携帯電話１０１を背面側から見た図を示す。
【００６０】
携帯電話１０１は、図３に示すように、アンテナ１１０を備えている。このアンテナ１１０は、図１に示したＴＶ用アンテナ部２５と、通信用アンテナ部３３とを共有するものであり、一つのアンテナで、ＴＶ放送信号を受信すると共に、携帯電話の通信信号を受信するようになっている。
【００６１】
また、上記携帯電話１０１には、通話用スピーカ１１１、第１表示部１１２、マイクジャック１１３、イヤホンジャック１１４、操作部１１５、通話用マイク１１６、ＴＶ用スピーカ１２１を備え、背面には、図４に示すように、カメラ部１１７、第２表示部１１８、バッテリー１１９、着信用スピーカ１２０を備えている。
【００６２】
上記携帯電話１０１の各構成要素と、図１に示すブロック図の各構成要素との対応関係は以下のようになる。
【００６３】
通話用スピーカ１１１、ＴＶ用スピーカ１２１、着信用スピーカ１２０は、図１に示すスピーカ部２８に相当し、第１表示部１１２は、図１に示す第１の表示部３４に相当し、マイクジャック１１３は、図１に示すマイク端子３１に相当し、イヤホンジャック１１４は、図１に示すイヤホン端子２９に相当し、操作部１１５は、図１に示す操作部２０に相当し、通話用マイク１１６は、図１に示す送話マイク３０に相当し、カメラ部１１７は、図１に示すカメラ部３２に相当し、第２表示部１１８は、図１に示す第２の表示部３５に相当し、バッテリー１１９は、図１に示す充電池２６に相当する。
【００６４】
上記構成の携帯電話１０１における第１表示部１１２での表示画面は、実行している機能によって異なる。
【００６５】
例えば、ＴＶ機能を実行させている場合、図５に示すように、第１表示部１１２にはテレビ映像１１２ａが表示され、通信機能のうちメール機能を実行させている場合には、図６に示すように、第１表示部１１２にはメール画面１１２ｂが表示される。
【００６６】
また、ＴＶ機能を実行させているときに、メールの着信があった場合には、図７に示すように、第１表示部１１２にはテレビ映像１１２ａとメール画面１１２ｂの両画面が表示される。
【００６７】
なお、ＴＶ機能及び通信機能以外の機能、例えばビデオ再生機能及びストリーミング再生機能を実行させている場合には、ＴＶ機能を実行させている場合と同様の表示となる。
【００６８】
従って、携帯電話１０１において実行可能な４つの機能を２つに分類すると、以下のようになる。
【００６９】
ＴＶ機能、ビデオ録画／再生機能、ストリーミング再生機能を第１の機能モードとし、通信機能を第２の機能モードとする。
【００７０】
ところで、携帯電話やＰＤＡ等の通信機能を有する電子機器の場合、省電力の為に、画面照明は一定時間放置された場合、ユーザが使用していないと判断し、自動的に減光し、その後、消灯するように表示部の画面制御を行うのが一般的である。但し、減光や消灯させないようにするには、ユーザが何らかの操作をすればよい。
【００７１】
一方、テレビやビデオ再生の場合、視聴中は、ユーザによるなんらかの操作を行わなくても、画面の明るさを一定に保持するように画面制御を行うのが一般的である。
【００７２】
従って、上記の第１の機能モード（ＴＶ機能、ビデオ録画／再生機能、ストリーミング再生機能）及び第２の機能モード（通信機能）は、以下のように定義することができる。
【００７３】
ここで、上記第１の機能モードは、何れもユーザが第１表示部１１２の表示画面を見続けるモードである。この第１の機能モードは、ユーザが主に表示部に表示された画面を見続けるような使用することが多い機能モードであるとも言える。
【００７４】
一方、上記第２の機能モードは、ユーザが第１表示部１１２の表示画面を見ながら操作部１１５を操作するモードである。この第２の機能モードは、ユーザが主に表示部に表示された画面を見ながら何らかの操作を行うような使用することが多い機能モードであるとも言える。
【００７５】
上記第１の機能モードのときには、操作部１１５を特に操作しなくても、表示画面の照度を一定に維持するように第１表示部１１２の表示制御（第１表示制御モード）を行う。
【００７６】
また、上記第２の機能モードのときには、一定時間、操作部１１５を操作しない場合に表示画面の照度を下げるか消すように第１表示部１１２の表示制御（第２表示制御モード）を行う。
【００７７】
具体的には、携帯電話１０１の第１表示部１１２が液晶表示パネルの場合には、バックライトの照度を制御するか、あるいは、第１表示部１１２が有機ＥＬ（Electroluminescence)パネルの場合には、該パネル自体の照度を制御するようにすればよい。
【００７８】
以下に、本願発明による表示制御について、図８ないし図１４のフローチャートを参照しながら以下に説明する。ここでは、表示部（第１の表示部３４や第１表示部１１２等）に液晶表示パネルを使用し、該液晶表パネルに使用されるバックライトの照度を制御するものとして説明する。
【００７９】
なお、本実施の形態では、表示制御について、図８ないし図１２に示すフローチャートを参照しながら、より広い概念で説明し、次に、図１３及び図１４に示すフローチャートを参照しながら、より具体的に説明する。
【００８０】
始めに、図１に示すブロック図及び図８に示すフローチャートを参照しながら、表示制御の流れを以下に説明する。ここでの表示制御は、本願発明における基本となる表示制御である。
【００８１】
まず、照明点灯が行なわれる（ステップＳ１）。ここでは、消灯状態にある第１の表示部３４の照明（バックライト）を点灯させることはもとより、減光状態にある第１の表示部３４の照明の照度を上げることが行なわれる。
【００８２】
次に、機能モードの選択を行う（ステップＳ２）。ここでは、第１の機能モードと第２の機能モードとを選択する。ここで、機能モードの選択方法としては、例えば、第１の表示部３４に表示されるべき映像信号が、第１機能モードの信号か第２機能モードの信号かを、表示制御部２７によって判断し、この判断結果によって何れの機能モードであることを選択するようにすればよい。また、操作部２０を操作して、第１機能モードと第２機能モードとを切り替えたことを示す信号に基づいて機能モードを選択するようにしてもよい。また、これらの選択方法以外であってもよい。
【００８３】
ステップＳ２において、第１の機能モードが選択されれば、この第１の機能モードに対応した表示制御モードである第１表示制御モードを実行する（ステップＳ３）。
【００８４】
続いて、第１表示制御モードが実行された状態で、携帯端末装置の状態変化が検出されたか否かが判断される（ステップＳ４）。ここで、状態変化検出とは、操作部２０の操作や、通信信号（電話信号等）を受信したことを検出することをいう。
【００８５】
このステップＳ４において、状態変化が検出されれば、ステップＳ２に移行し、再度、機能モード選択の判断が行なわれる。
【００８６】
一方、ステップＳ４において、状態変化が検出されなければ、ステップＳ５に移行し、携帯端末装置の電源がＯＮされているか否かを判断する。
【００８７】
ステップＳ５において、携帯端末装置の電源がＯＮされていれば、ステップＳ２に移行し、再度、機能モードの選択を行う。
【００８８】
一方、ステップＳ５において、携帯端末装置の電源がＯＮされていなければ、処理を終了する。
【００８９】
また、ステップＳ２において、第２の機能モードが選択された場合、第２の機能モードに対応した表示制御モードである第２表示制御モードを実行する（ステップＳ６）。
【００９０】
続いて、第２表示制御モードが実行された状態で、携帯端末装置の状態変化が検出されたか否かが判断される（ステップＳ７）。ここで、状態変化検出とは、操作部２０の操作や、通信信号（電話信号等）を受信したことを検出することをいう。
【００９１】
このステップＳ７において、状態変化が検出されれば、ステップＳ２に移行し、再度、機能モードの選択を行う。また、状態変換が検出されなければ、ステップＳ８に移行して所定時間経過したか否かを判断する。
【００９２】
ステップＳ８において、所定時間経過したと判断されれば、第１の表示部３４に使用される照明（バックライト）の照度を下げるか、または照明を消灯する（ステップＳ９）。
【００９３】
その後、携帯端末装置の状態変化の検出を行う（ステップＳ１０）。ここで、状態変化検出とは、操作部２０の操作や、通信信号（電話信号等）を受信したことを検出することをいう。
【００９４】
ステップＳ１０において、状態変化が検出されれば、ステップＳ１に移行し、照明を再点灯あるいは照度を上げる。
【００９５】
一方、ステップＳ１０において、状態変化が検出されなければ、ステップＳ１１に移行し、携帯端末装置の電源がＯＮされているか否かを判断する。
【００９６】
ステップＳ１１において、携帯端末装置の電源がＯＮされていれば、ステップＳ２に移行し、再度、機能モードの選択を行う。
【００９７】
一方、ステップＳ１１において、携帯端末装置の電源がＯＮされていなければ、処理を終了する。
【００９８】
また、ステップＳ８において、所定時間経過していないと判断されれば、ステップＳ１２に移行し、携帯端末装置の電源がＯＮされているか否かを判断する。
【００９９】
ステップＳ１２において、携帯端末装置の電源がＯＮされていれば、ステップＳ２に移行し、再度、機能モードの選択を行う。
【０１００】
一方、ステップＳ１０において、携帯端末装置の電源がＯＮされていなければ、処理を終了する。
【０１０１】
図８に示す表示制御では、第１の機能モードと第２の機能モードとが同時に実行されている場合について明記していないが、図９のフローチャートでは、第１の機能モードと第２の機能モードとが同時に実行されている場合の処理について示している。
【０１０２】
続いて、図９に示すフローチャートを参照しながら表示制御について以下に説明する。なお、図９に示すフローチャートでは、図８に示すフローチャートに記載の全てのステップを含んでおり、ステップＳ２７が追加されている。すなわち、図９に示すステップＳ２１〜ステップＳ２６、ステップＳ２８〜ステップＳ３３は、図８に示すステップＳ１〜ステップＳ１２に対応している。
【０１０３】
図９に示すステップＳ２７では、第２表示制御モードが実行されている間に、第１の機能モードに関する表示の有無が判断される。ここで、第１の機能モードに関する表示とは、第１の機能モードがＴＶ放送であれば、ＴＶ映像が第１の表示部３４に表示されていることを示す。つまり、ステップＳ２７では、第１の機能モードと第２の機能モードとを同時に実行させているか否かを判断している。
【０１０４】
ステップＳ２７において、第１の機能モードに関する表示あり、つまり、第１の機能モードと第２の機能モードとが同時に実行されていると判断した場合には、第１表示制御モードを実行する処理を行うために、ステップＳ２４に移行する。
【０１０５】
また、ステップＳ２７において、第１の機能モードに関する表示なし、つまり、第１の機能モードと第２の機能モードとが同時に実行されていないと判断した場合には、第２表示制御モードを実行する処理を続けるために、ステップＳ２７に移行する。
【０１０６】
以上のようにして、第１の機能モードと第２の機能モードとが同時に実行される場合の表示制御の処理が行われる。
【０１０７】
次に、図１０に示すフローチャートを参照しながら表示制御について以下に説明する。
【０１０８】
図１０に示すフローチャートは、第１の機能モードとして、ビデオ再生機能及びストリーミング再生機能を実行させた場合の表示制御の流れを示したものであり、第１表示制御モードの処理の流れが図８に示すフローチャートと異なるだけであり、第２表示制御モードの処理の流れは同じである。
【０１０９】
ここで、図１０に示すフローチャートでは、上記ビデオ再生機能及びストリーミング再生機能は、いずれも画像データを再生するので、第１表示制御モードでは、この画像データ再生に対応した表示制御が実行される。
【０１１０】
すなわち、まず、照明点灯が行なわれる（ステップＳ４１）。ここでは、消灯状態にある第１の表示部３４の照明（バックライト）を点灯させることはもとより、減光状態にある第１の表示部３４の照明の照度を上げることが行なわれる。
【０１１１】
次に、機能モードの選択を行う（ステップＳ４２）。ここで、第２の機能モードが選択された場合、ステップＳ５１に移行して第２表示制御モードが実行される。この第２表示制御モードの処理、すなわち、ステップＳ５２〜ステップＳ５７までの処理は、図８に示すステップＳ７〜ステップＳ１２と同じ処理であるのでその説明は省略する。従って、ここでは、第１表示制御モード、すなわち画像データ再生に対応した表示制御モードの処理の流れについてのみ説明する。
【０１１２】
ステップＳ４２において第１の機能モードが選択された場合、第１の機能モードに対応した表示制御モードである第１表示制御モードを実行する（ステップＳ４３）。
【０１１３】
続いて、第１表示制御モードを実行した状態で、画像データ再生に対応した表示制御を行うために、まず、画像の再生が停止か否かを判断する（ステップＳ４４）。ここで、画像の再生が停止されていなければ、ステップＳ４２に移行して機能モードの判断が行われる。一方、画像の再生が停止されていれば、ステップＳ４５に移行して、状態変化を検出したか否かを判断する。ここで、状態変化検出とは、操作部２０の操作や、通信信号（電話信号等）を受信したことを検出することをいう。
【０１１４】
ステップＳ４５において、状態変化を検出すれば、ステップＳ３２に移行して機能モードを判断する。
【０１１５】
また、ステップＳ４５において、状態変化を検出しなければ、所定時間経過したか否かを判断する（ステップＳ４６）。ここで、所定時間とは、第１の表示部３４の照明で消費される電力を低減するために適切に設定される時間である。
【０１１６】
従って、ステップＳ４６において、所定時間経過したと判断すれば、ステップＳ４７に移行して第１の表示部３４の照度を下げるかまたは照明を消灯する。通常、照明をすぐに消灯してしまうと、ユーザが戸惑ってしまう虞があるので、まず、照度を下げて、次に、照明を消灯するといった段階的な制御を行うのが好ましい。しかしながら、照度を下げるか、照明を消灯するかのいずれか一方の処理を行ってもよい。
【０１１７】
そして、状態変化を検出しているか否かを判断する（ステップＳ４８）。ここで、状態変化を検出していれば、ステップＳ４１に移行し、照明を再点灯する。なお、ステップＳ４７において、照明を消灯していれば、照明を再点灯し、消灯されずに減光状態であれば、照度を通常表示レベルの照度になるまで上げる処理が行われる。
【０１１８】
また、ステップＳ４８において、状態変化が検出されていなければ、ステップＳ４９に移行し電源がＯＮされているか否かを判断する。ここで、電源がＯＮ状態であればステップＳ４８に移行し、電源がＯＮ状態でなければ、携帯端末装置の電源がＯＦＦであると判断し、処理を終了する。
【０１１９】
一方、ステップＳ４６において、所定時間経過していないと判断すれば、ステップＳ４０に移行し電源がＯＮされているか否かを判断する。ここで、電源がＯＮ状態であればステップＳ４２移行し、機能モードを選択する。
【０１２０】
続いて、第１の機能モードがＴＶ放送の場合について、図１１に示すフローチャートを参照しながら以下に説明する。なお、図１１に示すフローチャートで示した表示制御においても、第２の機能モードに対応する第２表示制御のモードの処理の流れは、図８に示す第２の機能モードに対応する第２表示制御モードの処理の流れと同じである。
【０１２１】
すなわち、まず、照明点灯が行なわれる（ステップＳ６１）。ここでは、消灯状態にある第１の表示部３４の照明（バックライト）を点灯させることはもとより、減光状態にある第１の表示部３４の照明の照度を上げることが行なわれる。
【０１２２】
次に、機能モードの選択を行う（ステップＳ６２）。ここで、第２の機能モードが選択された場合、第２の機能モードに対応した表示制御モードである第２表示制御モードを実行する（ステップＳ６８）。そして、この第２表示制御モードの処理、すなわち、ステップＳ６９〜ステップＳ７４までの処理は、図８に示すステップＳ７〜ステップＳ１２と同じ処理であるのでその説明は省略する。従って、ここでは、第１の機能モード、すなわちテレビ放送受信時の表示制御モードの処理の流れについて説明する。
【０１２３】
ステップＳ６２において、第１の機能モードを選択すると、この第１の機能モードに対応する表示制御モードである第１表示制御モードを実行する（ステップＳ６３）。
【０１２４】
続いて、第１表示制御モードを実行した状態で、テレビの表示が可能か否かを判断する（ステップＳ６４）。ここでは、地上デジタルＴＶ放送を想定しており、図１に示すテレビ受信状態検知部１４において検知されたテレビ受信状態によってテレビの表示が可能か否かを判断する。
【０１２５】
具体的には、図２に示すＯＦＤＭ復調部１３の検波部４５によって受信信号のＣ／Ｎ比に関するパラメータを検出し、この検出信号をテレビ受信状態検知部１４に出力するようになっている。そして、上記テレビ受信状態検知部１４は、チューナ１２より入力された受信電力値と、上記検波部４５より入力された受信信号のＣ／Ｎを示す信号とを所定の基準に照らし合わせて、ＴＶ受信の感度を示す受信感度情報を算出することによって、受信状態を検知する。ここで、受信感度情報を算出するための基準については、様々な実施態様が考えられる。例えば、受信電力及び受信信号のＣ／Ｎの各パラメータについては、放送に用いられている各変調方式に対応した受信基準値を１００％に設定し、その一般的な変動幅に応じて値も妥当な範囲で変化するような換算値にすることが考えられる。
【０１２６】
このようにしてテレビの表示が可能であるか否かを判断した結果、テレビの表示が可能であると判断した場合には、ステップＳ６２に移行して機能モードを選択する。一方、テレビの表示が可能でないと判断すれば、ステップＳ６５に移行し、第１の表示部３４の照度を下げるまたは照明を消灯する。以降の処理、すなわち、ステップＳ６６とステップＳ６７とは、図１０に示すステップＳ４８とステップＳ４９の処理と同じであるので、説明は省略する。
【０１２７】
以上のように、本実施の形態では、テレビ放送をデジタルＴＶ放送であると想定しているので、ステップＳ６４のような処理が必要になる。つまり、デジタル放送においては、テレビ表示ができるか否かがハッキリしており、テレビ表示ができないのに、第１の表示部３４においてバックライトを一定に保つことは消費電力の観点から問題である。
【０１２８】
したがって、上記のように第１の表示部３４の照明制御を行うことにより、無駄な消費電力を低減し、結果として、携帯端末装置の消費電力を低減することが可能となる。
【０１２９】
このように消費電力の節約を行うことによって、携帯端末装置における充電池２６における電池残量を長持ちさせることができる。
【０１３０】
続いて、充電池２６における電池残量に応じた表示制御について、図１２に示すフローチャートを参照しながら以下に説明する。
【０１３１】
すなわち、まず、照明点灯が行なわれる（ステップＳ８１）。ここでは、消灯状態にある第１の表示部３４の照明（バックライト）を点灯させることはもとより、減光状態にある第１の表示部３４の照明の照度を上げることが行なわれる。
【０１３２】
次に、充電池残量レベルが所定量以上か否かを判断する（ステップＳ８２）。ここで、所定量以上の充電池残量レベルであると判断されれば、ステップＳ８５に移行して機能御モードの選択を行う。
【０１３３】
また、ステップＳ８２において、充電池の残量レベルが所定量以上ないと判断されれば、ステップＳ８３に移行して、携帯端末装置が動作可能か否かを判断する。ここで、動作可能というのは、携帯端末装置として必要最低限の機能が実行できる充電池残量を有している状態を示す。
【０１３４】
ステップＳ８３において、動作可能でないと判断すれば、表示制御処理を終了する。このとき、電池残量をユーザに報知するようにし、充電を促すようにしてもよい。
【０１３５】
一方、ステップＳ８３において、動作可能であると判断すれば、ステップＳ８４に移行して、照度を下げ（下げた照度を所定照度とする）た後、ステップＳ８５に移行して機能モードの選択を行う。
【０１３６】
ステップＳ８５〜ステップＳ９４までの処理は、図８に示すステップＳ２〜ステップＳ１２までの処理と同じであるので、その説明は省略する。
【０１３７】
なお、機能モード選択の処理以降は、図８に示す処理に限らず、図９に示すステップＳ２２〜ステップＳ３３における処理であってもよいし、図１０に示すステップＳ４２〜ステップＳ５７における処理であってもよいし、図１１に示すステップＳ６２〜ステップＳ７４における処理であってもよい。さらに他の表示制御処理と組み合わせてよい。
【０１３８】
以上のように、表示制御モードの選択の前に、充電池残量に関する処理を行うことで、確実に消費電力を抑制することができる。
【０１３９】
続いて、図１３及び図１４に示すフローチャートを参照しながら、本願発明のより具体的な例（図３及び図４で示した携帯電話１０１）における表示制御処理について説明する。
【０１４０】
図１３に示すフローチャートは、第１機能として、画像データ再生機能（ビデオ再生機能、ストリーミング再生機能）を想定し、第２機能として、情報端末機能としての通信機能を想定した場合の第１表示制御モード及び第２表示制御モードにおける表示制御の処理の流れを示すフローチャートである。
【０１４１】
図１４に示すフローチャートは、第１機能として、テレビ放送受信機能を想定し、第２機能として、情報端末機能としての通信機能を想定した場合の第１表示制御モード及び第２表示制御モードにおける表示制御の処理の流れを示すフローチャートである。
【０１４２】
始めに、図１３に示すフローチャートに対する処理の流れについて以下に説明する。
【０１４３】
まず、照明点灯が行なわれる（ステップＳ１０１）。ここでは、図３に示す第１表示部１１２の照明（バックライト）を点灯させることはもとより、減光状態にある第１表示部１１２の照明の照度を上げることが行なわれる。これにより、第１表示部１１２を所定照度にする。
【０１４４】
次に、充電池（バッテリー１１９）残量レベルが所定量以上か否かを判断する（ステップＳ１０２）。ここで、所定量以上の充電池残量レベルであると判断されれば、ステップＳ１０５に移行して機能モードの選択を行う。
【０１４５】
また、ステップＳ１０２において、充電池の残量レベルが所定量以上ないと判断されれば、ステップＳ１０３に移行して、携帯電話１０１の各機能が動作可能か否かを判断する。ここで、動作可能というのは、携帯端末装置として必要最低限の機能が実行できる充電池残量を有している状態を示す。
【０１４６】
ステップＳ１０３において、動作可能でないと判断すれば、表示制御処理を終了する。このとき、電池残量をユーザに報知するようにし、充電を促すようにしてもよい。
【０１４７】
一方、ステップＳ１０３において、動作可能であると判断すれば、ステップＳ１０４に移行して、照度を下げ（下げた照度を所定照度とする）た後、ステップＳ１０５に移行して、機能モードの選択を行う。
【０１４８】
ステップＳ１０５において、第１の機能モードを選択すれば、この第１の機能モードに対応した表示制御モードである第１表示制御モードを実行する（ステップ１０６）。ここでは、第１の機能モードとして画像データ再生機能を採用しているので、ステップＳ１０７〜ステップＳ１１５において、画像データ再生に対応した表示制御が実行される。なお、この画像データ再生に対応した表示制御の基本の流れは、図１０に示すステップＳ４４〜ステップＳ５０までの処理の流れとほぼ同じであるので詳細は省略する。異なるのは、図１０に示す状態変化検出の各ステップ（ステップＳ４５、ステップＳ４８）が具体的になった点である。
【０１４９】
すなわち、図１０に示すステップＳ４５が、図１３に示すステップＳ１０８、ステップＳ１０９となり、図１０に示すステップＳ４８が、図１３に示すステップＳ１１２、ステップＳ１１３となった点である。
【０１５０】
このように、図１３に示すフローチャートでは、携帯電話１０１の状態変化検出の処理として、まず、着信ありか否かを判断し（ステップＳ１０８、ステップＳ１１２）し、続いて、操作部１１５からの入力ありか否かを判断する（ステップＳ１０９、ステップＳ１１３）。
【０１５１】
ステップＳ１０８において、着信ありと判断すれば、ステップＳ１０２に移行し、充電池残量の検出を行う。
【０１５２】
また、ステップＳ１０９において、入力ありと判断すれば、ステップＳ１０２に移行し、充電池残量の検出を行う。
【０１５３】
そして、ステップＳ１０８において着信なしと判断し、ステップＳ１０９において入力無しと判断すれば、所定時間経過しているか否かを判断する（ステップＳ１１０）。ここで、所定時間経過していないと判断すれば、携帯電話１０１の電源がＯＮ状態にあるか否かを判断する（ステップＳ１１５）。
【０１５４】
ステップＳ１１０において、所定時間経過していると判断すれば、ステップＳ１１１に移行して、携帯電話１０１の第１表示部１１２の照度を下げるまたは照明を消灯する。
【０１５５】
次いで、携帯電話１０１の状態変化検出のステップが実行される。まず、ステップＳ１１１２において、着信ありか否かを判断し、ステップＳ１１１３において、操作部１１５からの入力ありか否かを判断する。この状態で、着信ありあるいは入力ありと判断されれば、ステップＳ１０１に移行し、携帯電話１０１の第１表示部１１２の照明を点灯するか、あるいは照度を上げて、所定の照度にする。
【０１５６】
また、ステップＳ１１２及びステップＳ１１３において、着信も入力も無いと判断すれば、ステップＳ１１４に移行して、携帯電話１０１の電源がＯＮ状態にあるか否かを判断する。ここで、ＯＮ状態にあると判断すれば、ステップＳ１１２に移行する。
【０１５７】
そして、ステップＳ１１４及びステップＳ１１５において、携帯電話１０１の電源がＯＮ状態にない、すなわちＯＦＦ状態であると判断すれば、表示制御モードの処理を終了する。
【０１５８】
また、ステップＳ１０５において、第２の機能モードを選択すれば、この第２の機能モードに対応した表示制御モードである第２表示制御モードを実行する（ステップＳ１１６）。この第２表示制御モードを実行する場合には、ステップＳ１１７〜ステップＳ１２３の処理が実行されるが、ここでも、図１０に示す第２表示制御モードのステップＳ５２〜ステップＳ５７までの処理と基本は同じであるので、詳細な説明は省略する。
【０１５９】
図１３に示す第２表示制御モードと、図１０に示す第２表示制御モードの処理とで異なるのは、図１３に示す第１表示制御モードと同様に、携帯電話１０１の状態変化検出が具体的になっている点である。
【０１６０】
従って、ステップＳ１０５において、第２の機能モードを選択し、第２表示制御モードを実行した場合、携帯電話１０１の状態変化検出として、まず、ステップＳ１１７において、着信ありか否かを判断し、次に、ステップＳ１１８において、操作部１１５からの入力ありか否かを判断する。この状態で、着信あり、あるいは入力ありと判断されれば、ステップＳ１０２に移行し、携帯電話１０１の充電池残量を検出する。
【０１６１】
そして、ステップＳ１１７において着信なしと判断し、ステップＳ１１８において入力無しと判断すれば、所定時間経過しているか否かを判断する（ステップＳ１１９）。ここで、所定時間経過していないと判断すれば、ステップＳ１０２に移行して、携帯電話１０１の充電池残量を検出する。
【０１６２】
ステップＳ１１９において、所定時間経過していると判断すれば、ステップＳ１２０に移行して、携帯電話１０１の第１表示部１１２の照度を下げるまたは照明を消灯する。
【０１６３】
次いで、携帯電話１０１の状態変化検出のステップが実行される。まず、ステップＳ１２１において、着信ありか否かを判断し、ステップＳ１２２において、操作部１１５からの入力ありか否かを判断する。この状態で、着信あり、あるいは入力ありと判断されれば、ステップＳ１０１に移行し、携帯電話１０１の第１表示部１１２の照明を点灯するか、あるいは照度を上げて、所定の照度にする。
【０１６４】
また、ステップＳ１２１及びステップＳ１２２において、着信も入力も無いと判断すれば、ステップＳ１２３に移行して、携帯電話１０１の電源がＯＮ状態にあるか否かを判断する。ここで、ＯＮ状態にあると判断すれば、ステップＳ１２１に移行する。
【０１６５】
そして、ステップＳ１２３において、携帯電話１０１の電源がＯＮ状態にない、すなわちＯＦＦ状態であると判断すれば、表示制御モードの処理を終了する。
【０１６６】
次に、図１４に示すフローチャートに対する処理の流れについて以下に説明する。なお、図１４に示すフローチャートで示した処理は、図１３に示すフローチャートと第１表示制御モードの処理が異なるだけで、他の処理については同じである。すなわち、図１４に示すステップＳ１３５において、機能モードの選択が行なわれるまでのステップＳ１３１〜ステップＳ１３４と、第２の機能モードに対応した第２表示制御モードの処理を示すステップＳ１４２〜ステップＳ１４９との処理が、図１３に示す処理と同じである。よって、以下の説明では、第１表示制御モードの処理の流れについて述べる。
【０１６７】
ステップＳ１３５において、第１の機能モードを選択すれば、この第１の機能モードに対応した表示制御モードである第１表示制御モードを実行する（ステップＳ１３６）。この第１表示制御モードでは、第１の機能モード（テレビ放送受信）に対応した表示制御が実行される。すなわち、ステップＳ１３７において、テレビの表示が可能か否かを判断する。ここで、テレビの表示が可能であれば、ステップＳ１３２に移行し、充電池残量の検出を行い、テレビの表示が可能でなければ、ステップＳ１３８に移行し、携帯電話１０１の第１表示部１１２における照明の照度を下げるまたは消灯する。
【０１６８】
なお、ステップＳ１３７において行なわれる判断処理については、図１１に示すステップＳ６４において行なわれる判断処理と同じであるので、その説明は省略する。
【０１６９】
続いて、ステップＳ１３８において、第１表示部１１２の照明の照度を下げるまたは消灯した後、携帯電話１０１の状態変化検出のステップが実行される。まず、ステップＳ１３９において、着信ありか否かを判断し、ステップＳ１４０において、操作部１１５からの入力ありか否かを判断する。この状態で、着信あり、あるいは入力ありと判断されれば、ステップＳ１３１に移行し、携帯電話１０１の第１表示部１１２の照明を点灯するか、あるいは照度を上げて、所定の照度にする。
【０１７０】
また、ステップＳ１３９及びステップＳ１４０において、着信も入力も無いと判断すれば、ステップＳ１４１に移行して、携帯電話１０１の電源がＯＮ状態にあるか否かを判断する。ここで、ＯＮ状態にあると判断すれば、ステップＳ１３９に移行する。
【０１７１】
そして、ステップＳ１４１において、携帯電話１０１の電源がＯＮ状態にない、すなわちＯＦＦ状態であると判断すれば、表示制御モードの処理を終了する。
【０１７２】
また、ステップＳ１３５において、第２の機能モードを選択すれば、この第２の機能モードに対応した表示制御モードである第２表示制御モードを実行する（ステップＳ１４２）。ここで、第２表示制御モードは、上述したように、ステップＳ１４２〜ステップＳ１４９の処理が実行されるが、ここでも、図１３に示す第２表示制御モードのステップＳ１１６〜ステップＳ１２３までの処理と基本は同じであるので、詳細な説明は省略する。
【０１７３】
なお、上述の説明では、電力消費部として表示装置の場合について説明したが、これに限るものではない。電力消費部としては、音声装置であってもよい。この場合、各機能モードに応じた音声処理を行うことができるのであれば、本実施形態と略同様の効果が得られる。
【０１７４】
ただし、本実施形態のように、電力消費部が表示装置の場合は、携帯端末装置における消費電力の大部分を占めているので、特に効果が大きい。
【０１７５】
また、本実施形態では、図１に示す第１の表示部３４や、図３に示す第１表示部１１２の表示制御について説明したが、これに限定されるものではなく、図１に示す第２の表示部３５や、図４に示す第２表示部１１８においても同様の制御を行うことで、消費電力の抑制とユーザの使用感の向上の両立を図ることができる。
【０１７６】
さらに、本実施形態では、電子機器において受信できるテレビ放送として、地上デジタルＴＶ放送について説明したが、これに限定されるものではなく、地上アナログＴＶ放送であっても同様の制御を行うことが可能である。
【０１７７】
また、機能モードとして、通信機能、ＴＶ機能、ビデオ録画／再生機能、ストリーミング再生機能を例に説明したが、これらに限定されるものではなく、他の機能を一つの電子機器に複合化する場合においても同様の制御を行うことができる。
【０１７８】
また、本発明の電子機器は以下のようにも表現することができる。
【０１７９】
すなわち、少なくとも２つの異なる機能モードが実行可能な電子機器において、電子機器内の電力消費部における消費電力を、上記の機能モード毎に制御する消費電力制御手段を備えている電子機器。
【０１８０】
上記機能モードに対応した表示を行う表示制御モードによって表示制御が行われる表示部を備えている電子機器。
【０１８１】
機能モードに対応した表示を行う表示制御モードによって表示制御が行なわれる表示部と、上記機能モードが、第１の機能モード、第２の機能モードの何れであるかを判断する機能モード判断手段と、上記機能モード判断手段の判断結果に対応した表示制御モードによって、上記表示部の表示制御を行う表示制御手段とを備えている構成である電子機器。
【０１８２】
上記表示制御手段は、上記表示部の照度を制御する照度制御手段を含んでいる電子機機器。
【０１８３】
電子機器の状態変化を検出する状態変化検出手段を備え、上記照度制御手段は、上記状態変化検出手段によって所定時間、状態変化を検出しなかった場合、上記第１の機能モードに対応した表示を行う第１の表示制御モードが実行されているときには、上記表示部を所定の照度で維持し、上記第２の機能モードに対応した表示を行う第２の表示制御モードが実行されているときには、上記表示部を所定の照度より減光または消灯するように、上記表示部の照度を制御する電子機器。
【０１８４】
上記第１の機能モードに対応した表示と、上記第２の機能モードに対応した表示とを同時に行う場合、上記表示制御手段は、第１の表示制御モードにて表示制御を行う電子機器。
【０１８５】
画像データを再生する画像データ再生手段とを備え、上記第１の機能モードは、上記画像データ再生手段によって画像データを再生する画像データ再生モードである電子機器。
【０１８６】
画像データを受信する画像データ受信手段と、画像データを再生する画像データ再生手段とを備え、上記第１の機能モードは、上記画像データ受信手段により画像データを受信しながら、上記画像データ再生手段により受信した画像データを再生する画像データ受信再生モードである電子機器。
【０１８７】
上記照度制御手段は、上記第１の機能モードにおいて、画像データの再生が停止している状態、かつ、上記状態変化検出手段が所定の時間、状態変化を検出しなかった場合において、上記表示部を所定の照度より減光、または、消灯することを特徴とする電子機器。
【０１８８】
さらに、テレビ放送を受信するテレビ放送受信手段を備え、上記第１の機能モードは、上記テレビ放送受信手段によってテレビ放送を受信するテレビ放送受信モードである電子機器。
【０１８９】
テレビ電波の受信状態によりテレビの表示が可能か不可能かを検出するテレビ受信状態検出手段を備え、上記照度制御手段は、上記第１の表示制御モードにおいて、上記テレビ受信状態検出手段により検出された検出結果が、テレビの表示が不可能である場合、該検出結果に応じて、表示部を所定の照度より減光、または、消灯する電子機器。
【０１９０】
上記照度制御手段は、上記状態変化検出手段が、状態変化を検出した場合、検出した状態変化に応じて、上記表示部を所定の照度を維持する電子機器。
【０１９１】
電子機器に電力を供給する充電池と、充電池の容量を検出する充電池残量検知手段とを備え、上記照度制御手段は、上記充電池残量検知手段の検知結果によって、表示部における設定照度を変化させる電子機器。
【０１９２】
上記第２の機能モードは、情報端末機能モードであり、上記情報端末機能モードを実行しているときに、情報入力に使用する入力手段が設けられ、上記状態変化検出手段により検出される状態変化が上記入力手段による情報入力である電子機器。
【０１９３】
上記第２の機能モードは、通信機能モードであり、上記通信機能モードを実行しているときに、通信機能である電話および／または電子メールの着信を知らせる着信手段、および、情報入力に使用する入力手段が設けられ、上記状態変化検出手段により検出される状態変化が、上記着信手段による着信動作または上記入力手段による情報入力である電子機器。
【０１９４】
すなわち、本発明に係る電子機器は、上記課題を解決するために、少なくとも２つの異なる機能モードが実行可能な電子機器において、電子機器内の電力消費部における消費電力を、上記の機能モード毎に制御する消費電力制御手段を備えていてもよい。
【０１９５】
また、上記機能モードに対応した表示を行う表示制御モードによって表示制御が行われる表示部を備えていてもよい。
【０１９６】
本発明に係る電子機器は、上記課題を解決するために、機能モードに対応した表示を行なう表示制御モードによって表示制御が行なわれる表示部と、上記機能モードが、第１の機能モード、第２の機能モードの何れであるかを判断する機能モード判断手段と、上記機能モード判断手段の判断結果に対応した表示制御モードによって、上記表示部の表示制御を行う表示制御手段とを備えていてもよい。
【０１９７】
ここで、上記第１の機能モードとは、ユーザが主に表示部に表示された画面を見続けるような使用をすることが多い機能モードであり、上記第２の機能モードとは、ユーザが主に表示部に表示された画面を見ながら何らかの操作を行うような使用をすることが多い機能モードである。
【０１９８】
上記表示制御手段は、上記表示部の照度を制御する照度制御手段を含んでいてもよい。
【０１９９】
また、上記電子機器は、電子機器の状態変化を検出する状態変化検出手段を備え、上記照度制御手段は、上記状態変化検出手段によって所定時間、状態変化を検出しなかった場合、上記第１の機能モードに対応した表示を行う第１の表示制御モードが実行されているときには、上記表示部を所定の照度で維持し、上記第２の機能モードに対応した表示を行う第２の表示制御モードが実行されているときには、上記表示部を所定の照度より減光または消灯するように、上記表示部の照度を制御するようにしてもよい。
【０２００】
ここで、上記状態変化には、例えばユーザが行う何らかの操作が含まれる。
【０２０１】
上記第１の機能モードに対応した表示と、上記第２の機能モードに対応した表示とを同時に行う場合、上記表示制御手段は、第１の表示制御モードにて表示制御を行なってもよい。
【０２０２】
また、画像データを再生する画像データ再生手段とを備え、上記第１の機能モードは、上記画像データ再生手段によって画像データを再生する画像データ再生モードであってもよい。
【０２０３】
また、画像データを受信する画像データ受信手段と、画像データを再生する画像データ再生手段とを備え、上記第１の機能モードは、上記画像データ受信手段により画像データを受信しながら、上記画像データ再生手段により受信した画像データを再生する画像データ受信再生モードであってもよい。
【０２０４】
上記照度制御手段は、上記第１の機能モードにおいて、画像データの再生が停止している状態、かつ、上記状態変化検出手段が所定の時間、状態変化を検出しなかった場合において、上記表示部を所定の照度より減光、または、消灯するようにしてもよい。
【０２０５】
さらに、テレビ放送を受信するテレビ放送受信手段を備え、上記第１の機能モードは、上記テレビ放送受信手段によってテレビ放送を受信するテレビ放送受信モードであってもよい。
【０２０６】
テレビ電波の受信状態によりテレビの表示が可能か不可能かを検出するテレビ受信状態検出手段を備え、上記照度制御手段は、上記第１の表示制御モードにおいて、上記テレビ受信状態検出手段により検出された検出結果が、テレビの表示が不可能である場合、該検出結果に応じて、表示部を所定の照度より減光、または、消灯するようにしてもよい。
【０２０７】
上記照度制御手段は、上記状態変化検出手段が、状態変化を検出した場合、検出した状態変化に応じて、上記表示部を所定の照度を維持するようにしてもよい。
【０２０８】
電子機器に電力を供給する充電池と、充電池の容量を検出する充電池残量検知手段とを備え、上記照度制御手段は、上記充電池残量検知手段の検知結果によって、表示部における設定照度を変化させるようにしてもよい。
【０２０９】
上記第２の機能モードは、情報端末機能モードであり、上記情報端末機能モードを実行しているときに、情報入力に使用する入力手段が設けられ、上記状態変化検出手段により検出される状態変化が上記入力手段による情報入力であってもよい。
【０２１０】
上記第２の機能モードは、通信機能モードであり、上記通信機能モードを実行しているときに、通信機能である電話および／または電子メールの着信を知らせる着信手段、および、情報入力に使用する入力手段が設けられ、上記状態変化検出手段により検出される状態変化が、上記着信手段による着信動作または上記入力手段による情報入力であってもよい。
【０２１１】
本発明の電子機器は、該電子機器内の電力消費部における消費電力を、機能モード毎に制御する消費電力制御部を備えていることで、各機能モードで必要とされる消費電力制御を独立して行うことが可能となる。それゆえ、電子機器における無駄な電力の消費を防止することができる。
【０２１２】
上記電子機器が、例えば携帯移動端末であって、機能として、ＴＶ機能と通信機能（電話機能）とが実行可能である場合、電力消費部である表示装置における消費電力の制御を、一方の機能に合わせてしまうと、種々の不具合が生じる。
【０２１３】
例えば、ＴＶ機能に合わせた表示装置（表示部）の消費電力の制御を行った場合、通信機能を実行しているとき、キー入力等の操作を所定時間行なわれない間、つまり、ユーザが表示装置の表示画面を見ていない間でも照明の照度が一定に保たれるので、非常に無駄な電力を消費していることになる。
【０２１４】
また、通信機能に合わせた表示装置の消費電力の制御を行った場合、ＴＶ機能を実行しているとき、長時間キー入力がされなければ表示画面が突然暗くなり、最終的に照明が消灯されてしまうので、照明の照度を維持するために何らかの操作を常にする必要があり、ユーザの使用感の低下を招く。
【０２１５】
従って、上記の構成のように、各機能に応じて電力消費部の消費電力を制御するようにすれば、各機能で必要とされる制御が独立して行うことが可能となり、電子機器における無駄な電力の消費を防止することができると共に、ユーザの使用感の向上を図ることが可能となる。
【０２１６】
このように、上記電力消費部としては、上記機能モードに対応した表示を行う表示制御モードによって表示制御が行われる表示部であることが好ましいが、表示部以外の構成要素として、音声出力装置やカメラ撮像装置等の電子機器に搭載し得る装置が考えられる。
【０２１７】
本発明の電子機機器は、機能モードに関連した表示制御モードによって表示制御が行なわれる表示部と、上記機能モードが、第１の機能モード、第２の機能モードの何れであるかを判断する機能モード判断部と、上記機能モード判断部の判断結果に対応した表示制御モードによって、上記表示部の表示制御を行う表示制御部とを備えていることで、複数の機能モードを融合した電子機器において、どの機能モードを使用するかにより表示部の制御を変更することができる。これにより、使用する機能モードに適合した表示制御を行うことで、消費電力の削減と、使用性の向上の両立を図ることができる。
【０２１８】
特に、第１の機能モードとして、ユーザが主に表示部に表示された画面を見続けるような使用をすることが多い機能モード、第２の機能モードとして、ユーザが主に表示部に表示された画面を見ながら何らかの操作を行うような使用をすることが多い機能モードを搭載可能な電子機器においては、消費電力の削減と、使用性の向上の両立を図る必要があるので、機能モード毎に表示部の表示制御を行うことが好ましい。
【０２１９】
上記表示制御部は、上記表示部の照度を制御する照度制御部を含んでいることで、複数の機能モードを融合した電子機器において、どの機能を使用するかにより表示部の照明照度の制御を変更することができる。これにより、使用する機能モードに適合した表示照明制御を行うことが可能となる。
【０２２０】
ここで、表示部として、液晶表示パネルを使用する場合には、照明装置はバックライトであり、このバックライトの照度を制御すればよい。また、表示部として、有機ＥＬパネルを使用する場合には、該有機ＥＬパネル自体が発光しているので、この有機ＥＬパネル自体の発光の度合いを制御すればよい。
【０２２１】
上記照度制御部は、状態変化検出部によって所定時間、状態変化を検出しなかった場合、上記第１の機能モードに関連した表示を行う第１の表示制御モードが実行されているときには、上記表示部を所定の照度で維持し、上記第２の機能モードに関連した表示を行う第２の表示制御モードが実行されているときには、上記表示部を所定の照度より減光または消灯するように、上記表示部の照度を制御することで、電子機器に、照明を明るくする必要のある状態変化（電話着信、キー入力等）がない場合に、機能モードによって、照明照度を維持または減光（消灯）することで、使用している機能に適合した表示照明制御を行うことができる。
【０２２２】
上記第１の機能モードに関連した表示と、上記第２の機能モードに関連した表示とを同時に行う場合、上記表示制御部は、第１の表示制御モードにて表示制御を行うことで、第１・第２両方の機能モードの表示を行っている場合は、第１の表示制御モードとすることができる。これにより、電子機器のユーザの使用性を優先することができる。
【０２２３】
画像データを再生する画像データ再生手段とを備え、上記第１の機能モードは、上記画像データ再生手段によって画像データを再生する画像データ再生モードであることで、画像データ再生モード中は、表示部を所定の照度に維持することで、所定の時間放置された場合でも、不必要な操作をすることなく、適切に画像（ビデオ）を見つづけることができる。
【０２２４】
画像データを受信する画像データ受信手段と、画像データを再生する画像データ再生手段とを備え、上記第１の機能モードは、上記画像データ受信手段により画像データを受信しながら、上記画像データ再生手段により受信した画像データを再生する画像データ受信再生モードであることで、画像データをダウンロードしながら再生するモード（ストリーミング再生モード）において、所定の時間放置された場合でも、不必要な操作をすることなく、適切にストリーミングビデオ画像または静止画像を見つづけることができる。
【０２２５】
上記照度制御手段は、上記第１の機能モードにおいて、画像データの再生が停止している状態、かつ、上記状態変化検出手段が所定の時間、状態変化を検出しなかった場合において、上記表示部を所定の照度より減光、または、消灯することで、上記画像データ再生モードまたはストリーミング再生モードにおいて、画像再生を停止している状態で放置された場合は、照明を減光または消灯するので、不必要な消費電力を押さえることができる。
【０２２６】
さらに、テレビ放送を受信するテレビ放送受信手段を備え、上記第１の機能モードは、上記テレビ放送受信手段によってテレビ放送を受信するテレビ放送受信モードであることで、テレビ放送受信モード中は、表示部を所定の照度に維持することができる。これにより、所定の時間放置された場合でも、不必要な操作をすることなく、適切にテレビ放送を見つづけることができる。
【０２２７】
テレビ電波の受信状態によりテレビの表示が可能か不可能かを検出するテレビ受信状態検出手段を備え、上記照度制御手段は、上記第１の表示制御モードにおいて、上記テレビ受信状態検出手段により検出された検出結果が、テレビの表示が不可能である場合、該検出結果に応じて、表示部を所定の照度より減光、または、消灯することで、テレビ放送受信モード中でも、テレビ放送が表示できていない場合は、照明を減光または消灯することになる。これにより、不必要な消費電力を押さえることができる。
【０２２８】
上記照度制御手段は、上記状態変化検出手段が、状態変化を検出した場合、検出した状態変化に応じて、上記表示部を所定の照度を維持することで、テレビが受信できていない状態でも、状態変化が起こった時は表示部を所定の照度に戻すようになるので、ユーザはどのような状態変化が起こったかをテレビが表示できるできないに関わらず確認することができる。
【０２２９】
電子機器に電力を供給する充電池と、充電池の容量を検出する充電池残量検知手段とを備え、上記照度制御手段は、上記充電池残量検知手段の検知結果によって、表示部における設定照度を変化させることで、充電池（バッテリー）の残量により、画像またはテレビ視聴時の維持すべき照度を設定するようになる。これにより、限られたバッテリー量でより長い時間視聴し続けることができる。
【０２３０】
上記第２の機能モードは、情報端末機能モードであり、上記情報端末機能モードを実行しているときに情報入力に使用する入力手段が設けられ、上記状態変化検出手段により検出される状態変化が上記入力手段による情報入力であることで、情報端末機能としてのＰＤＡ機能を使用している場合は、所定時間経過後、自動的に照明を減光または消灯するようになる。これにより、ＰＤＡ機能使用時は、該ＰＤＡ機能に適合した消費電力の削減をすることができる。
【０２３１】
上記第２の機能モードは、通信機能モードであり、上記通信機能モードを実行しているときに、通信機能である電話および／または電子メールの着信を知らせる着信手段、および、情報入力に使用する入力手段が設けられ、上記状態変化検出手段により検出される状態変化が、上記着信手段による着信動作または上記入力手段による情報入力であることで、通信機能としての電話・電子メール機能を使用している場合は、所定時間経過後、自動的に照明を減光または消灯するようになる。これにより、電話・電子メール機能機能使用時は、該電話・電子メール機能に適合した消費電力の削減をすることができる。
【産業上の利用可能性】
【０２３２】
本発明は、機器内の電力消費部における消費電力を、機能モード毎に制御する消費電力制御部を備え、各機能モードで必要とされる消費電力制御を独立して行うことが可能となる電子機器に好適に用いられ、特に、携帯電話およびＰＤＡ（Personal Digital Assistants)等の携帯端末機能と、ビデオ録画／再生機能と、ストリーミング再生機能と、ＴＶ放送受信機能とを複合化した電子機器に好適に用いられる。
【図面の簡単な説明】
【０２３３】
【図１】本発明の実施形態を示すものであり、電子機器の一つである携帯端末装置の要部構成を示すブロック図である。
【図２】図１に示したＯＦＤＭ復調部の要部構成を示すブロック図である。
【図３】図１に示す携帯端末装置の具体的な例の一つである携帯電話のユーザの操作側から見た正面図である。
【図４】図３に示した携帯電話の背面図である。
【図５】図３に示す携帯電話の第１表示部にテレビ画像を表示した状態を示す図である。
【図６】図３に示す携帯電話の第１表示部にメール画像を表示した状態を示す図である。
【図７】図３に示す携帯電話の第１表示部にテレビ画像とメール画像の両方を表示した状態を示す図である。
【図８】図１に示す携帯端末装置における表示制御処理の流れを示すフローチャートである。
【図９】図１に示す携帯端末装置における他の表示制御処理の流れを示すフローチャートである。
【図１０】図１に示す携帯端末装置におけるさらに他の表示制御処理の流れを示すフローチャートである。
【図１１】図１に示す携帯端末装置におけるさらに他の表示制御処理の流れを示すフローチャートである。
【図１２】図１に示す携帯端末装置におけるさらに他の表示制御処理の流れを示すフローチャートである。
【図１３】図３に示す携帯電話における表示制御処理の流れを示すフローチャートである。
【図１４】図３に示す携帯電話における他の表示制御処理の流れを示すフローチャートである。
【符号の説明】
【０２３４】
１１  ＣＰＵ（消費電力制御手段、機能モード判断手段、状態変化検出手段）
１２  チューナ（テレビ放送受信手段）
１３  ＯＦＤＭ復調部
１４  テレビ受信状態検知部（テレビ受信状態検知手段）
１５  デコーダ
１６  充電池残量検知部（充電池残量検知手段）
１７  記憶部
１８  ＲＡＭ
１９  ＲＯＭ
２０  操作部
２１  画像処理部（画像データ再生手段）
２２  音声処理部
２３  カメラ制御部
２４  無線通信部
２５  ＴＶ用アンテナ部
２６  充電池
２７  表示制御部（表示制御手段、照度制御手段）
２８  スピーカ部
２９  イヤホン端子
３０  送話マイク
３１  マイク端子
３２  カメラ部
３３  通常用アンテナ部
３４  第１の表示部
３５  第２の表示部
４５  検波部
１０１  携帯電話
１１０  アンテナ
１１１  通話用スピーカ
１１２  第１表示部
１１２ａ  テレビ映像
１１２ｂ  メール画面
１１３  マイクジャック
１１４  イヤホンジャック
１１５  操作部
１１６  通話用マイク
１１７  カメラ部
１１８  第２表示部
１１９  バッテリー（充電池）
１２０  着信用スピーカ
１２１  ＴＶ用スピーカ
【図１】
2008148297.tif 000003
【図２】
2008148297.tif 000004
【図３】
2008148297.tif 000005
【図４】
2008148297.tif 000006
【図５】
2008148297.tif 000007
【図６】
2008148297.tif 000008
【図７】
2008148297.tif 000009
【図８】
2008148297.tif 000010
【図９】
2008148297.tif 000011
【図１０】
2008148297.tif 000012
【図１１】
2008148297.tif 000013
【図１２】
2008148297.tif 000014
【図１３】
2008148297.tif 000015
【図１４】
2008148297.tif 000016